(57)【要約】【課題】省スペースで、容易に椅子を床に着脱可能に固定する椅子固定構造を提供する。【解決手段】椅子を床Ｆに固定する椅子固定構造１は、床Ｆに固定されるフランジ部１１とフランジ部１１から上方に延在する中空の円筒部１５とを有する基礎部材１０と、円筒部１５に同軸的に挿入される円柱挿入部３２とを有する柱状支持部３０と、を備える。円筒部１５は、円筒部１５の壁部を貫通する円筒部貫通孔１６を有する。円柱挿入部３２は、円柱挿入部３２の側面を貫通する円柱挿入部貫通孔３３を有する。円柱挿入部３２が円筒部１５に挿入された設置状態において、挿入ピン又は挿入ボルト３５が挿通するように、円筒部貫通孔１６と円柱挿入部貫通孔３３とが一致する。【選択図】図４
0003212053.tif 000002
【実用新案登録請求の範囲】
【請求項１】
椅子を床に固定する椅子固定構造であって、
前記床に固定されるフランジ部と前記フランジ部から上方に延在する中空の円筒部とを有する基礎部材と、
前記円筒部に同軸的に挿入される円柱挿入部と上部に前記椅子を載置する載置部とを有する柱状支持部と、を備え、
前記円筒部は、前記円筒部の壁部を貫通する円筒部貫通孔を有し、
前記円柱挿入部は、前記円柱挿入部の側面を貫通する円柱挿入部貫通孔を有し、
前記円柱挿入部が前記円筒部に挿入された設置状態において、挿入ピン又は挿入ボルトが挿通するように、前記円筒部貫通孔と前記円柱挿入部貫通孔とが一致する、椅子固定構造。
【請求項２】
前記設置状態において、前記円柱挿入部の端部は、前記円筒部の底部に相当する段部の上面に接触している、請求項１に記載の椅子固定構造。
【請求項３】
上下方向における、前記円筒部貫通孔の中心と、前記円筒部の底部に相当する段部の上面との間の距離は、５ｍｍ〜１５ｍｍの範囲内にある、請求項１又は２に記載の椅子固定構造。
【請求項４】
前記円柱挿入部は、前記円筒部に対して、すきまばめである、請求項１から３のいずれかに記載の椅子固定構造。
【考案の詳細な説明】
【技術分野】
【０００１】
本考案は、椅子を床に着脱可能に固定する椅子固定構造に関する。
【背景技術】
【０００２】
例えば、パチンコ、パチスロ、ゲーム等の遊技場では、店内の模様替えを容易にしたり、老朽化した椅子を新しいものに交換したり、また、遊技者が車椅子利用者である場合に車椅子を進入させるために外したりすることを目的として、床に対して着脱可能に固定することのできる椅子が用いられることが多く、例えば、特許文献１に記載された椅子の固定構造が提案されている。
【０００３】
特許文献１は、椅子を床に固定する椅子の固定構造であって、床に固定されるフランジ部、及びフランジ部から上方に延在する中空の筒部を有する基礎部材と、筒部の外周に設けられた第１の環状部材と、第１の環状部材の外周に設けられた締結部材と、筒部に挿入され、上部に椅子を載置する柱状支持部と、柱状支持部の外周に設けられ、締結部材が着脱可能に締結する被締結部を有する第２の環状部材と、を備えることを特徴とする椅子の固定構造である。
【０００４】
しかしながら、上下方向における環状部材の位置がフランジ部（床面）から離れた位置に形成され、また、環状部材が外側に伸びるフランジ状になっているので、筒部より大きなスペースを必要としていた。
【先行技術文献】
【特許文献】
【０００５】
【特許文献１】特開２０１６−１０６８０５号公報
【考案の概要】
【考案が解決しようとする課題】
【０００６】
そこで、本発明は、以上のような事情に鑑みてなされたものであり、その目的は、省スペースで、椅子を床に着脱可能に容易に固定する椅子固定構造を提供することにある。
【課題を解決するための手段】
【０００７】
考案者は、鋭意検討をした結果、以下の考案を得た。
【０００８】
（１）椅子を床に固定する椅子固定構造であって、前記床に固定されるフランジ部と前記フランジ部から上方に延在する中空の円筒部とを有する基礎部材と、前記円筒部に同軸的に挿入される円柱挿入部と上部に前記椅子を載置する載置部とを有する柱状支持部と、を備え、前記円筒部は、前記円筒部の壁部を貫通する円筒部貫通孔を有し、前記円柱挿入部は、前記円柱挿入部の側面を貫通する円柱挿入部貫通孔を有し、前記円柱挿入部が前記円筒部に挿入された設置状態において、挿入ピン又は挿入ボルトが挿通するように、前記円筒部貫通孔と前記円柱挿入部貫通孔とが一致する、椅子固定構造。
【０００９】
（２）前記設置状態において、前記円柱挿入部の端部は、前記円筒部の底部に相当する段部の上面に接触している、（１）に記載の椅子固定構造。
【００１０】
（３）上下方向における、前記円筒部貫通孔の中心と、前記円筒部の底部に相当する段部の上面との間の距離は、５ｍｍ〜１５ｍｍの範囲内にある、（１）又は（２）に記載の椅子固定構造。
【００１１】
（４）前記円柱挿入部は、前記円筒部に対して、すきまばめである、（１）から（３）のいずれかに記載の椅子固定構造。
【考案の効果】
【００１２】
本考案によれば、設置状態で、円筒部貫通孔と円柱挿入部貫通孔とが一致するので、挿入ピン又は挿入ボルトを円筒部貫通孔と円柱挿入部貫通孔に挿通するだけで、省スペースで、椅子を床に着脱可能に容易に固定することができる椅子固定構造を提供することができる。
【図面の簡単な説明】
【００１３】
【図１】本考案に係る椅子固定構造の一実施形態の斜視図である。
【図２】（ａ）図１に示した椅子固定構造の基礎部材の斜視図である。（ｂ）（ａ）の垂直部分断面図である。
【図３】図１に示した椅子固定構造の柱状支持部の垂直部分断面図である。
【図４】図１に示した椅子固定構造の垂直部分断面図である。
【考案を実施するための形態】
【００１４】
以下、添付図面を参照して、本考案を実施するための形態（以下、実施形態という）について詳細に説明する。なお、実施形態の説明の全体を通して同じ要素には同じ番号を付している。
【００１５】
図１から図４を参照して、本考案に係る椅子固定構造１を説明する。
図１に示すように、椅子固定構造１は、椅子Ｃを床Ｆに固定する固定構造である。椅子固定構造１は、基礎部材１０と柱状支持部３０とを備える。本実施形態では、柱状支持部３０の円柱挿入部３２が基礎部材１０の円筒部１５の内部に挿入された設置状態において、挿入ピン又は挿入ボルト３５及びナット３６のような棒状の挿入止め部材Ｐを挿通することにより、椅子Ｃを床Ｆに対して固定するものである。
【００１６】
基礎部材１０は、床Ｆに固定されるフランジ部１１とフランジ部１１から上方に延在する中空の円筒部１５とを有する。基礎部材１０は、フランジ部１１に形成された取付穴１１ａに取付ボルトＢをもって床Ｆに固定される。柱状支持部３０は、上部に椅子Ｃを載置する載置部４７を有する。柱状支持部３０の載置部４７は、椅子Ｃの取付部に差し込まれることにより、椅子Ｃは柱状支持部３０に固定される。
【００１７】
図２に示すように、フランジ部１１は、床Ｆに接地する基部１１ｂと、その中央部分に盛り上がった段部１１ｃとから構成されている。基部１１ｂと段部１１ｃとは、一枚の円盤をプレス等で、表面が凸状になるように、中央の裏面を凹ませたものであり、段部１１ｃと床Ｆとの間には、隙間１３が確保される。段部１１ｃの有無や形状は基礎部材１０に求められる強度や材質又は意匠等を考慮して選択することができる。
【００１８】
基部１１ｂには、基礎部材１０を床Ｆに固定するための取付ボルトＢのような取付部材（図４参照）を挿通させる複数の取付穴１１ａが設けられている。複数の取付穴１１ａは、基部１１ｂの厚さ方向（上下方向）に沿って、基部１１ｂの周囲の近傍に貫設されている。基礎部材１０は、複数の取付ボルトＢをそれぞれ複数の取付穴１１ａに挿通して床Ｆに螺入することにより、床Ｆに固定される。取付穴１１ａは、椅子Ｃの利用者が体重を背もたれにかけることを勘案して、利用者からみて後側正面に１つを設けるほか、左右対称に配置された４つを含めて計５つの取付穴１１ａを設けることが好ましい。これにより、利用者の体重移動や着席離席に対し、基礎部材１０がぐらつかないようにすることができる。
【００１９】
フランジ部１１の中央には、段部１１ｃから上方に向けて、中空の円筒部１５が延在している。フランジ部１１と円筒部１５とは、例えば、溶接により、一体的に形成される。中空の円筒部１５の内側壁面１７及び外側壁面１８の両方が直立している例を示しているが、内側壁面１７は、直立でなくてもよく、テーパ状に形成してもよい。内側壁面１７がテーパ形状の場合、柱状支持部３０の、円筒部１５に同軸的に挿入される円柱挿入部３２も対応したテーパ状を有する。
【００２０】
また、円筒部１５の内側壁面１７及び柱状支持部３０の円柱挿入部３２の外側壁面の少なくとも一方にそれらの密着を防ぐために筋状の凹凸を形成してもよい。
【００２１】
円筒部１５は、円筒部１５の壁部の内側壁面１７及び外側壁面１８を貫通する円筒部貫通孔１６を有する。上下方向における、円筒部貫通孔１６の中心１６ａと、円筒部１５の底部に相当する段部１１ｃの上面１２との間の距離ａは、５ｍｍ〜１５ｍｍの範囲内にあることが好ましい。また、円筒部貫通孔１６の直径は、３ｍｍ〜１０ｍｍの範囲内にあることが好ましい。
【００２２】
図３に示すように、柱状支持部３０は、ガイド部３１とスライド部４４とを含み、脱着式ガスポールの構成を有する。ガイド部３１は、円筒形状を有し、その内部を、シャフト状のスライド部４４が直線的に摺動する。
【００２３】
ガイド部３１は、スライド部４４の外周面を摺動可能に接触する接触面３１ａを上端側に有する。ガイド部３１の外側で下側の端部は、円筒部１５に同軸的に挿入される円柱挿入部３２であり、上側の端部は、椅子Ｃを載置する載置部４７である。ガイド部３１の内部の下側には、摺動軸支持部３４が形成されている。円柱挿入部３２の外径は、円筒部１５の内径に対して、すきまばめであることが好ましい。
【００２４】
スライド部４４は、スライド部４４の下側に取り付けられたブッシュ４３から摺動しながら伸び縮みする摺動軸４１を有し、摺動軸４１の下側の端部は、軸受け４２を介して摺動軸支持部３４に取り付けられている。
【００２５】
スライド部４４の載置部４７は、嵌合部材４８と共に椅子Ｃに取り付けられる。スライド部４４は、ガイド部３１に対して上下方向に摺動するように、ガイド部３１の内部に設けられている。スライド部４４がガイド部３１に対して上下方向に摺動することにより、椅子Ｃを昇降させる昇降機構を構成する。円柱挿入部３２には、円柱挿入部３２の側面を貫通する円柱挿入部貫通孔３３を有する。円柱挿入部貫通孔３３の直径は、３ｍｍ〜１０ｍｍの範囲内にあることが好ましく、円筒部貫通孔１６の直径と同じであることがさらに好ましい。
【００２６】
次に、基礎部材１０に柱状支持部３０を取り付けた椅子固定構造１の説明をする。
図４に示すように、円筒部貫通孔１６と円柱挿入部貫通孔３３とが一致するように、円柱挿入部３２を円筒部１５に挿入し、設置状態の椅子固定構造１を得る。このとき、円柱挿入部３２の外径は、円筒部１５の内径に対して、すきまばめであるので、円柱挿入部３２を円筒部１５に容易に直接挿入することができる。
【００２７】
これにより、挿入ボルト３５が円筒部貫通孔１６と円柱挿入部貫通孔３３とに挿通することができる。円筒部貫通孔１６と円柱挿入部貫通孔３３とから出した、挿入ボルト３５の先端にナット３６を螺合することにより、円柱挿入部３２を円筒部１５に取り付け、設置状態とする。これにより、円柱挿入部３２は円筒部１５から外れなくなり、また、円柱挿入部３２は円筒部１５に対して回転しなくなる。
【００２８】
このとき、円筒部貫通孔１６と円柱挿入部貫通孔３３とは、スライド部４４の摺動軸４１の下側の端部より下側に位置するので、挿入ボルト３５がスライド部４４に接触することなく、挿入ボルト３５をスムーズに挿入することができる。
【００２９】
また、円柱挿入部３２の端部は、円筒部１５の底部に相当する段部１１ｃの上面１２に接触している。これにより、段部１１ｃと床Ｆとの間には隙間１３があるので、椅子Ｃに利用者が座った際の荷重を段部１１ｃが、若干の弾性変形をすることにより、衝撃を緩和することができる。
【００３０】
このように、本実施形態では、円筒部貫通孔１６と円柱挿入部貫通孔３３とが一致するので、挿入ピン又は挿入ボルト３５のような挿入止め部材Ｐを円筒部貫通孔１６と円柱挿入部貫通孔３３に挿通するだけで、省スペースで、椅子Ｃを床Ｆに着脱可能に容易に固定することができる。さらに、円柱挿入部３２の外径は、円筒部１５の内径に対して、すきまばめであるので、円柱挿入部３２を円筒部１５に容易に直接挿入することができる。
【００３１】
以上、実施形態を用いて本考案を説明したが、本考案の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本考案の技術的範囲に含まれ得ることが、実用新案登録請求の範囲の記載から明らかである。
【符号の説明】
【００３２】
Ｂ  取付ボルト
Ｃ  椅子
Ｆ  床
Ｐ  挿入止め部材
１  椅子固定構造
１０  基礎部材
１１  フランジ部
１１ａ  フランジ部の取付穴
１１ｂ  フランジ部の基部
１１ｃ  フランジ部の段部
１２  フランジ部の段部の上面
１３  隙間
１５  円筒部
１６  円筒部貫通孔
１６ａ  円筒部貫通孔の中心
１７  内側壁面
１８  外側壁面
３０  柱状支持部
３１  ガイド部
３１ａ  接触面
３２  円柱挿入部
３３  円柱挿入部貫通孔
３４  摺動軸支持部
３５  挿入ボルト
３６  ナット
４１  摺動軸
４２  軸受け
４３  ブッシュ
４４  スライド部
４７  載置部
４８  嵌合部材
【図１】
0003212053.tif 000003
【図２】
0003212053.tif 000004
【図３】
0003212053.tif 000005
【図４】
0003212053.tif 000006